(57)【特許請求の範囲】
【請求項１】
化粧品製品を保持することが可能な一つだけの容器(2)と、
前記容器(2)を封止および開封するように前記容器(2)に係合することが可能な閉鎖部材(3)と、
一つの機能性の第1の塗布具ヘッド(4)および一つの非機能性の第2の塗布具ヘッド(6)と、
前記第2の塗布具ヘッド(6)を取り囲む拡大キャップであって、該拡大キャップ(7)の少なくとも一部は透明であり、前記拡大キャップ(7)を通して前記第2の塗布具ヘッドを見たときに前記第2の塗布具ヘッド(6)の拡大像を生成する拡大キャップ(7)と、
を備え、
前記機能性の第1の塗布具ヘッド(4)は、前記容器(2)内の前記化粧品製品に浸漬されるように構成され、
前記拡大キャップ(7)は、前記閉鎖部材(3)に恒久的に取り付けられて前記第2の塗布具ヘッドを非機能性とし、
前記第2の塗布具ヘッド(6)は、前記拡大キャップ(7)を通して常時視認可能である化粧品塗布具システム(1)。
【請求項２】
前記第1および第2の塗布具ヘッド(4、6)は、互いに外見上同一および同軸であり、前記閉鎖部材(3)から反対の方向に延び、前記閉鎖部材(3)が前記容器(2)上に係合されたとき、前記第1の塗布具ヘッド(4)は前記容器(2)内の前記化粧品製品に浸漬され、前記第2の塗布具ヘッド(6)は視認可能に維持され、前記第1の塗布具ヘッドと比較すると拡大視されるようになっている、請求項1に記載の化粧品塗布具システム(1)。
【請求項３】
前記拡大キャップ(7)は、全体が透明である、請求項1に記載の化粧品塗布具システム(1)。
【請求項４】
前記第2の塗布具ヘッド(6)の前記拡大像の倍率は、1.10倍から5.0倍の間である、請求項1に記載の化粧品塗布具システム(1)。
【発明の詳細な説明】
【技術分野】
【０００１】
本発明は、化粧品塗布具システムに関する。詳細には、本発明は、浸漬型の化粧品塗布具システムに関する。
【背景技術】
【０００２】
「棒状」の塗布具とは、持手部付きの近位端部と、製品塗布表面への製品の送達を助けるように適合された遠位自由端部とを有する、延在するロッドまたは軸を意味する。延在するロッドは、自由端部が製品容器の底部に到達することを可能にする。延在するロッドは、塗布具ヘッドと塗布具のハンドルとの間に間隔を提供することによって、製品の塗布および化粧を容易にもする。この間隔は、睫毛へのマスカラの塗布にとって特に必要である。この定義には、綿棒を含むことができるが、脱脂綿は含まない。なぜなら、脱脂綿は、近位端部および遠位端部を有する延在するロッドまたは軸を有していないからである。
【０００３】
「浸漬型」の塗布具とは、製品の容器内において浸漬されて容器から製品を取り出すように適合された遠位端部を有する棒状の塗布具を意味する。従来のマスカラ塗布具は、この説明に当てはまる。この説明に当てはまらない塗布具の例には、製品が一体型の容器から塗布具ヘッドを通って塗布具の表面上へ流されるものが含まれる。
【０００４】
二つの棒状の塗布具を有する浸漬型の化粧品塗布具システムが知られている。たとえば、各塗布具に一つずつ二つの製品容器を有する塗布具システムが存在し、これらの容器は、多くの場合、端部と端部が結合されまたは横に並べて結合される。米国特許第4,886,080号および米国特許第2,691,184号は、塗布具ヘッドが互い対向しているシステムについて記載している。米国特許第3,690,777号、米国特許第6,612,764号、米国特許第6,682,242号、米国特許出願公開第2002/0018688号、ドイツ国特許第3923731号、およびカナダ国特許第1,158,602号は、塗布具ヘッドが互いから離れる方を向いているシステムについて記載している。塗布具ヘッドが同じ方向を向いているシステムは、米国特許第5,509,742号および米国特許第D287,168号に記載されている。
【０００５】
二つの棒状の塗布具を有するが、一つだけの製品容器と容器内への一つだけの入口を有する塗布具システムも存在する。米国特許第2,829,655号、米国特許第5,970,990号、米国特許第2,902,041号、および米国特許第3,073,320号は、棒状の塗布具の一つが製品容器内において浸漬されることを意図しないシステムについて記載している。多くの場合、この塗布具は、実際には、コームまたは他の付属道具などの化粧道具である。棒状の塗布具はどちらも、容器を封止する同じ閉鎖部材に取り付けることができ、容器に入らない塗布具には取外し可能なキャップが設けられる。
【０００６】
二つの棒状の塗布具を有するが、どちらの塗布具も製品容器内において一切浸漬されない塗布具システムも存在する。いずれの製品も、容器から塗布具ヘッドを通って塗布具表面上へ流され(たとえば、米国特許第3,592,202号、米国特許第D286,163号、米国特許第D295,878号、および米国特許第3,688,450号)、または塗布具システム内に製品が存在しない(すなわち、米国特許第5,056,179号)。
【０００７】
上記の参照文献に記載されているすべての塗布具システムでは、すべての塗布具ヘッドが機能性である。それらのほとんどすべてにおいて、塗布具ヘッドは互いに異なる。米国特許第D295,878号では、塗布具ヘッドは同一のように見えるが、明らかに異なる製品(すなわち、異なる色のインク)を分配する。
【０００８】
化粧品の販売業者は、製品に付属する塗布具のタイプを潜在顧客に示したいと考えることがある。これまで、様々な毛の構成および毛の形状を有する多くのタイプの塗布具ヘッドが開発されてきた。しかし、商業環境において製品容器が流通のために封止されているときなど、塗布具ヘッドが製品容器内において浸漬されているときは、塗布具ヘッドを視認できない。この問題を避ける一つの方法は、製品容器を一時的な閉鎖部材またはシールで封止し、次いで透明の外装内に容器および塗布具を横に並べて包装することである。ここでの問題は、マスカラ管などの比較的小さく洗練された設計が、かさばったプラスチックの外箱に置き換えられることである。プラスチックの外箱は、商品のコストを大幅に増大させる。また、塗布具ヘッドが製品内において浸漬された後は、塗布具ヘッドは再び視認できなくなる。たとえば、いくつかのマスカラ製品を所有している女性であれば、各製品の中にどの塗布具が入っているかを覚えられない可能性がある。さらに、一部の消費者にとっては、毛の特徴が小さすぎて視認できないことがある。
【発明の概要】
【発明が解決しようとする課題】
【０００９】
本発明の主な目的は、不機能性の塗布具ヘッドの拡大像を生成する拡大キャップを備える化粧品塗布具システムを提供することである。
【００１０】
本発明の別の目的は、完全に組み立てた状態で流通および販売することができ、それでもなお消費者が購入しようとしている塗布具ヘッドのタイプを拡大して視認することを可能にする化粧品塗布具システムを提供することである。
【課題を解決するための手段】
【００１１】
一部の従来技術の塗布具システムと同様に、本発明の塗布具システムは、製品を保持しているまたは製品を保持することが可能な一つの容器と、容器から製品を取り出すために製品容器内で浸漬されることが必要な遠位自由端部を有する一つの棒状の塗布具と、製品容器内で浸漬されないことが意図される一つの棒状の塗布具とを有する。一部の従来技術と同様に、塗布具はどちらも同じ閉鎖部材に取り付けられ、製品容器内において浸漬されることが意図されない塗布具に対してキャップが提供される。しかし、従来技術とは異なり、本塗布具システムは、二つの同一または実質上同一の塗布具を有する。好ましい実施形態では、製品容器内において浸漬されることが意図されない塗布具に対して拡大キャップが設けられる。より好ましくは、このキャップは恒久的に取り付けられていることで、その塗布具を非機能性にする。好ましくは、拡大キャップの少なくとも一部分は透明で光学倍率を提供することが可能であり、消費者は不機能性の塗布具の構造上の詳細をより容易に視認することができるようになっている。
【図面の簡単な説明】
【００１２】
【図１】図１Ａと図１Ｂは本発明による棒状の浸漬型塗布具の第1の実施形態を示す図である。
【図２】製品容器に組み付けられた状態で示す図1Bの塗布具の断面図である。
【図３】図３Ａと図３Ｂは本発明による棒状の浸漬型塗布具の第2の実施形態を示す図である。
【図４】製品容器に組み付けられた状態で示す図3Bの塗布具の断面図である。
【図５】図５Ａと図５Ｂは拡大キャップが定位置にないときと定位置にあるときの本発明の塗布具システムの一実施形態を示す図である。
【図６】図６Ａと図６Ｂは拡大キャップが定位置にないときと定位置にあるときの本発明の塗布具システムの別の実施形態を示す図である。
【図７】図７Ａと図７Ｂは拡大キャップが定位置にないときと定位置にあるときの本発明の塗布具システムの別の実施形態を示す図である。
【図８】図８Ａと図８Ｂは拡大キャップが定位置にないときと定位置にあるときの本発明の塗布具システムの別の実施形態を示す図である。
【図９】図９Ａと図９Ｂは拡大キャップが定位置にないときと定位置にあるときの本発明の塗布具システムの別の実施形態を示す図である。
【図１０】図9Bの塗布具システムの横断面図である。
【発明を実施するための形態】
【００１３】
図の全体にわたって、重複した参照番号は、本発明の様々な実施形態における同じ特徴を示す。また、図1A、図1B、図3A、図3B、図5A、図5B、図6A、図6B、図7A、図7B、図8A、図8B、図9A、および図9Bでは、拡大キャップが定位置にないとき、次いで拡大キャップが定位置にあるときの第2の塗布具ヘッドを示すことによって、拡大キャップの作用を示す。
【００１４】
図1A、図1B、および図2の実施形態を参照すると、塗布具システム(1)は、化粧品製品(製品は図10に「P」で示す)を保持することが可能な一つだけの容器(2)を備える。容器の開端部(2a)は、閉鎖部材(3)などによって封止および開封されるように適合される。この閉鎖部材は、容器のねじ山付きネック(2b)に係合するように設計されたねじ山(3b)を備える。閉鎖部材の内面(3d)から棒(3a)または延在するロッドが垂下している。棒(3a)は、閉鎖部材が容器のネックに係合されると容器内へ下方に延びる遠位自由端部(3c)を有する。棒の遠位端部は、容器から製品を取り出し、製品塗布表面への製品の送達を助けるように適合された第1の塗布具ヘッド(4)を支持する。たとえば、第1の塗布具ヘッドは、マスカラブラシとして実施することができる。その場合、睫毛に化粧するのに有用であることが知られているあらゆるタイプの塗布具ヘッドも、本発明での使用に適しているであろう。マスカラブラシヘッドのいくつかの例を、図1A、図1B、図3A、図3B、図5A、図5B、図6A、図6B、図7A、図7B、図8A、図8B、図9A、および図9Bに示す。第1の塗布具ヘッド(4)の一部分(4b)を、棒(3a)の遠位端部(3c)内へ挿入することができ(図2および図4に示す)、または第1の塗布具ヘッドは、棒の遠位端部の上に嵌るスリーブ(4c)として実施することができる(図10に示す)。いずれの場合も、棒の長さは、閉鎖部材(3)が容器のネック(2b)に係合されたときに塗布具ヘッドが容器の底部(2c)に到達することが可能になるような長さである。
【００１５】
当技術分野で一般に行われるように、容器(2)の開端部(2a)は、ワイパ要素(5)に嵌め込むことができる。ワイパ要素(5)の機能は、第1の塗布具ヘッド(4)の毛(4a)から余分な製品を取り除くことである。
【００１６】
閉鎖部材(3)の外面(3e)からは、第2の塗布具ヘッド(6)が突出している。概して、第2の塗布具ヘッドは第1の塗布具ヘッド(4)と同軸であるが、第1の塗布具ヘッド(4)から離れる方を向いている。第2の塗布具ヘッドは、閉鎖部材の外面(3e)から立ち上がる短い軸(3f)を介して閉鎖部材に取り付けることができる。好ましくは、短い軸は、第2の塗布具ヘッドを不機能性にするのに十分なほど短い。たとえば、第2の塗布具ヘッドの延びが短いということは、第2の塗布具ヘッドが容器(2)の開端部(2a)内へ挿入された場合でも、第2の塗布具ヘッドが容器内の製品に到達することができないことを意味する。また、閉鎖部材(3)を越える第2の塗布具ヘッドの延びが比較的短いと、閉鎖部材(3)が邪魔になるため、第2の塗布具ヘッドが睫毛の化粧に使用されるのを妨げる。したがって、本発明の重要な特徴は、第2の塗布具ヘッド(6)が製品塗布具として非機能性であるということである。それでもなお、第2の塗布具ヘッドは目的を有しているのである。閉鎖部材(3)が容器のネック(2b)に係合されたとき、第1の塗布具ヘッドは容器内において浸漬されて視認できないが、第2の塗布具ヘッドは常時視認可能に維持することができ、光学的に拡大される。
【００１７】
第2の塗布具ヘッド(6)は、この第2の塗布具ヘッドを取り囲む拡大キャップ(7)によって保護される。さらに、第2の塗布具ヘッドは不機能性であるため、拡大キャップを通常の手段によって取り外すことができないことが好ましいであろう。たとえば、拡大キャップ(7)は、接着剤、溶接、スナップ取付具、圧縮などの任意の適した恒久的な手段によって閉鎖部材(3)に強固に連結される場合、取外し不能とすることができる。第2の塗布具ヘッドを視認可能に維持するために、拡大キャップ(7)の少なくとも一部分は透明材料から作られるべきである。たとえば、図1A、図1B、図2、図3A、図3B、図4、図5A、図5B、図6A、図6B、図7A、図7B、図9A、図9B、および図10では、キャップの全体が透明であるが、図8Aおよび図8Bでは、拡大キャップの一部分が不透明であり、部分(7a)は透明である。好ましくは、キャップ全体が透明材料である。好ましい透明材料は、少なくとも80%の光透過率を有し、第2の塗布具ヘッド(6)の見え方がぼんやりしないようになっている。
【００１８】
さらに、透明材料の全体または透明材料の少なくとも一部分は、拡大キャップ(7)を通して第2の塗布具ヘッドを見たときに第2の塗布具ヘッド(6)の拡大像を生成することが可能でなければならない。図1A、図1B、図3A、図3B、図5A、図5B、図6A、図6B、図7A、図7B、図8A、図8B、図9A、および図9Bでは、拡大キャップが定位置にないとき、次いで拡大キャップが定位置にあるときの第2の塗布具ヘッドを示すことによって、拡大キャップの作用を示す。好ましくは、透明材料全体が、光学倍率を提供することが可能である。より好ましくは、キャップ全体が透明であり(すなわち、不透明な部分はない)、光学倍率を提供することが可能である。光学系の分野では、倍率とは、どちらがより大きいか、それともより小さいかにかかわらず、物体の見た目上のサイズと、その本当のサイズとの間の比である。しかし、本明細書では、光学倍率とは、第2の塗布具ヘッド(6)の像が第2の塗布具ヘッドの実際のサイズより大きくなることを特に意味する。有用な光学倍率は、2.0倍もしくは3.0倍もしくは4.0倍など、1.10倍から5.0倍であり、または1.10倍から5.0倍の任意の他の値である。好ましい倍率は、1.50倍から2.50倍である。拡大キャップは、高性能の光学素子ではなく、安価なプラスチック構成要素であることを理解されたい。したがって、あらゆる有用な倍率レベルで、塗布具ヘッドの像は、少なくともある程度の歪みを有する。これは、消費者が視認したいと意図する塗布具ヘッドの特徴を視認することができる限り、問題になることはないであろう。しかし、倍率が5倍を超えると、塗布具ヘッドの拡大像が大幅に歪む可能性が高いため、それほど役に立たない可能性がある。
【００１９】
一般に、光学倍率は、拡大キャップ(7)の内部および外部の形状、ならびに光学的特性を有するあらゆる表面被覆を含むキャップの拡大部分の材料に依存する。第2の塗布具ヘッド(6)の拡大像を生成するために、キャップの拡大部分は、正の(収束)レンズとして挙動しなければならず、第2の塗布具ヘッドと拡大キャップ(7)との間の距離は、拡大部分の焦点距離より小さくしなければならない。たとえば、保護キャップの一部分は、両凸または平凸とすることができ、有効焦点距離は、少なくとも12mm、または少なくとも20mm、または少なくとも30mmである。
【００２０】
拡大キャップ(7)は、図1A、図1B、図5A、図5B、図6A、図6B、図7A、および図7Bに示すように、閉鎖部材の側面を覆うように嵌め込むことができる。または、キャップは、図3A、図3B、図8A、図8B、図9A、および9Bに示すように、閉鎖部材の上に配置することができる。キャップ(7)および閉鎖部材(3)の組合せは、第1の塗布具ヘッド(4)を操作するための持手部として働く。取外し不能なキャップに有用となり得るプラスチック材料には、ポリメチルメタクリレート(すなわち、アクリルガラス)、ブチレート(セルロースアセテートブチレート)、ポリカーボネート、ABS、耐衝撃性スチレン、PETG(グリコール修飾ポリエチレンテレフタレート)などが含まれる。
【００２１】
本発明の好ましい塗布具システムでは、第2の塗布具ヘッド(6)は、第1の塗布具ヘッド(4)と同一または実質上同一である。「実質上同一」とは、拡大キャップ(7)の下から見たとき、使用者は第1および第2の塗布具ヘッドの違いを区別することができないことを意味する。たとえば、第2の塗布具ヘッドは、使用者には視認できない何らかの内部構造、寸法、または材料に関して第1の塗布具ヘッドとは異なる可能性があるが、外側では二つの塗布具ヘッドは拡大しても通常は区別することができない。
【００２２】
本発明の一つの利益は、図5A、図5B、図6A、図6B、図7A、図7B、図8A、図8B、図9A、および図9Bに示すように、閉鎖された(または完全に組み立てられた)構成で、使用者は、依然として購入しようとしている塗布具ヘッドのタイプを視認することができ、機能する塗布具ヘッドを容器とは別に包装する必要はないことである。塗布具ヘッドを成形する現況技術は、かさばったプラスチック外箱の包装ではなく第2の(使用不能な)塗布具ヘッドを提供する方が有利に安価になるところまで、コストを低減させた。
【００２３】
別の利益は、塗布具システムの寿命全体にわたって塗布具ヘッドを視認することができ、いくつかの類似の製品を所有している女性は、本発明によって塗布具ヘッドを常に識別することが可能になることである。
【００２４】
図1A、図1B、図2、図3A、図3B、図4、図5A、図5B、図6A、図6B、図7A、図7B、図8A、図8B、図9A、図9B、および図10は、本発明の塗布具システムにおいて様々なタイプの塗布具ヘッドを使用することができることを実証している。本発明は図示の塗布具ヘッドに限定されるものではないことは明らかである。
【図１】
0006383800.tif 000002
【図２】
0006383800.tif 000003
【図３】
0006383800.tif 000004
【図４】
0006383800.tif 000005
【図５】
0006383800.tif 000006
【図６】
0006383800.tif 000007
【図７】
0006383800.tif 000008
【図８】
0006383800.tif 000009
【図９】
0006383800.tif 000010
【図１０】
0006383800.tif 000011